(57)【要約】  本出願の実施例は信号伝送方法、端末装置及びネットワーク装置を開示する。前記方法は複数の同期信号ブロックの各同期信号ブロックの第一の周期における時間シーケンスを確定することと、前記各同期信号ブロックの前記第一の周期における時間シーケンスに基づき、前記複数の同期信号ブロックをそれぞれ受信することとを含む。本出願の実施例の信号伝送方法、端末装置及びネットワーク装置は、端末装置の計算の複雑さを低減し、検出時間を減らし、電力消費を節約することができる。
2020511088.tif 000002
【特許請求の範囲】
【請求項１】
信号伝送方法であって、
複数の同期信号ブロックの各同期信号ブロックの第一の周期における時間シーケンスを確定することと、
前記各同期信号ブロックの前記第一の周期における時間シーケンスに基づき、前記複数の同期信号ブロックをそれぞれ受信することとを含む、前記信号伝送方法。
【請求項２】
前記複数の同期信号ブロックが同一のセルの異なる同期信号ブロックであり、前記第一の周期の時間長が前記複数の同期信号ブロックのうちの一つの伝送周期に等しいことを特徴とする
請求項１に記載の信号伝送方法。
【請求項３】
前記信号伝送方法はさらに、
ネットワーク装置から送信された指示情報を受信することを含み、前記指示情報は、送信しようとする前記複数の同期信号ブロックの数を示すことに用いられ、
前記複数の同期信号ブロックの各同期信号ブロックの第一の周期における時間シーケンスを確定することは、
前記複数の同期信号ブロックの数に基づき、前記複数の同期信号ブロックの数に対応する前記各同期信号ブロックの前記第一の周期における時間シーケンスを確定することを含み、前記複数の同期信号ブロックの時間シーケンスのそれぞれは、前記複数の同期信号ブロックのそれぞれに対応することを特徴とする
請求項１又は２に記載の信号伝送方法。
【請求項４】
前記信号伝送方法はさらに、
ネットワーク装置から送信された第一の同期信号ブロックを受信することであって、前記第一の同期信号ブロックと前記複数の同期信号ブロックのうちの任意の一つの同期信号ブロックは前記第一の周期における時間シーケンスが異なることと、
ネットワーク装置から送信された指示情報を受信することであって、前記指示情報は、前記任意の一つの同期信号ブロックと前記第一の同期信号ブロックとの間隔の時間領域ユニットの数を示すことに用いられることとを含み、
前記複数の同期信号ブロックの各同期信号ブロックの第一の周期における時間シーケンスを確定することは、
前記第一の同期信号ブロックの前記第一の周期における時間シーケンス及び前記時間領域ユニットの数に基づき、前記各同期信号ブロックの第一の周期における時間シーケンスを確定することを含むことを特徴とする
請求項１又は２に記載の信号伝送方法。
【請求項５】
前記信号伝送方法はさらに、
前記ネットワーク装置から送信された指示情報を受信することを含み、前記指示情報は、前記各同期信号ブロックの前記第一の周期における時間シーケンスを示すことに用いられ、
前記複数の同期信号ブロックの各同期信号ブロックの第一の周期における時間シーケンスを確定することは、
前記指示情報に基づき、前記各同期信号ブロックの前記第一の周期における時間シーケンスを確定することを含むことを特徴とする
請求項１又は２に記載の信号伝送方法。
【請求項６】
前記信号伝送方法はさらに、
前記ネットワーク装置から送信された指示情報を受信することを含み、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であり、
前記複数の同期信号ブロックの各同期信号ブロックの第一の周期における時間シーケンスを確定することは、
前記第一の対応関係に基づき、前記各同期信号ブロックの前記第一の周期における時間シーケンスを確定することを含むことを特徴とする
請求項１又は２に記載の信号伝送方法。
【請求項７】
前記指示情報は、ブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項３〜６のいずれか一項に記載の信号伝送方法。
【請求項８】
前記ネットワーク装置から送信された指示情報を受信することは、
プライマリ搬送波の上で前記ネットワーク装置から送信された前記指示情報を受信することを含むことを特徴とする
請求項３〜７のいずれか一項に記載の信号伝送方法。
【請求項９】
前記プライマリ搬送波は新しい無線（ＮＲ）システム又は長期進化（ＬＴＥ）システムにおける搬送波であることを特徴とする
請求項８に記載の信号伝送方法。
【請求項１０】
前記同期信号ブロックは少なくともプライマリ同期信号とセカンダリ同期信号を含むことを特徴とする
請求項１〜９のいずれか一項に記載の信号伝送方法。
【請求項１１】
信号伝送方法であって、
端末装置へ指示情報を送信することであって、前記指示情報が複数の同期信号ブロックの各同期信号ブロックの第一の周期における時間シーケンスを確定するために前記端末装置によって用いられることと、
前記各同期信号ブロックの前記第一の周期における時間シーケンスに基づき、前記端末装置へ前記複数の同期信号ブロックを送信することとを含むことを特徴とする、前記信号伝送方法。
【請求項１２】
前記複数の同期信号ブロックが同一のセルの異なる同期信号ブロックであり、前記第一の周期の時間長が前記複数の同期信号ブロックのうちの一つの伝送周期に等しいことを特徴とする
請求項１１に記載の信号伝送方法。
【請求項１３】
前記指示情報は、送信しようとする前記複数の同期信号ブロックの数を示すことに用いられ、前記複数の同期信号ブロックの数と前記複数の同期信号ブロックの前記第一の周期における時間シーケンスとの間は対応関係があることを特徴とする
請求項１１又は１２に記載の信号伝送方法。
【請求項１４】
前記指示情報は、前記複数の同期信号ブロックのうちの任意の一つの同期信号ブロックと第一の同期信号ブロックとの間隔の時間領域ユニットの数を示すことに用いられ、前記第一の同期信号ブロックと前記任意の一つの同期信号ブロックは前記第一の周期における時間シーケンスが異なり、
前記信号伝送方法はさらに、
前記第一の同期信号ブロックの前記第一の周期における時間シーケンスに基づき、前記端末装置へ前記第一の同期信号ブロックを送信することを含むことを特徴とする
請求項１１又は１２に記載の信号伝送方法。
【請求項１５】
前記指示情報は、前記各同期信号ブロックの前記第一の周期における時間シーケンスを示すことに用いられることを特徴とする
請求項１１又は１２に記載の信号伝送方法。
【請求項１６】
前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であることを特徴とする
請求項１１又は１２に記載の信号伝送方法。
【請求項１７】
前記指示情報は、ブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項１１〜１６のいずれか一項に記載の信号伝送方法。
【請求項１８】
前記端末装置へ指示情報を送信することは、
プライマリ搬送波の上で前記端末装置へ前記指示情報を送信することを含むことを特徴とする
請求項１１〜１７のいずれか一項に記載の信号伝送方法。
【請求項１９】
前記プライマリ搬送波は新しい無線（ＮＲ）システム又は長期進化（ＬＴＥ）システムにおける搬送波であることを特徴とする
請求項１８に記載の信号伝送方法。
【請求項２０】
前記同期信号ブロックは少なくともプライマリ同期信号とセカンダリ同期信号を含むことを特徴とする
請求項１１〜１９のいずれか一項に記載の信号伝送方法。
【請求項２１】
信号伝送の端末装置であって、
複数の同期信号ブロックの各同期信号ブロックの第一の周期における時間シーケンスを確定するように構成される確定ユニットと、
前記各同期信号ブロックの前記第一の周期における時間シーケンスに基づき、前記複数の同期信号ブロックをそれぞれ受信するように構成される第一の受信ユニットとを備える、前記端末装置。
【請求項２２】
前記複数の同期信号ブロックが同一のセルの異なる同期信号ブロックであり、前記第一の周期の時間長が前記複数の同期信号ブロックのうちの一つの伝送周期に等しいことを特徴とする
請求項２１に記載の端末装置。
【請求項２３】
前記端末装置は、前記ネットワーク装置から送信された指示情報を受信するように構成される第二の受信ユニットをさらに備え、前記指示情報は、送信しようとする前記複数の同期信号ブロックの数を示すことに用いられ、
前記確定ユニットは具体的に、前記複数の同期信号ブロックの数に基づき、前記複数の同期信号ブロックの数に対応する前記各同期信号ブロックの前記第一の周期における時間シーケンスを確定するように構成され、前記複数の同期信号ブロックの時間シーケンスのそれぞれは、前記複数の同期信号ブロックのそれぞれに対応することを特徴とする
請求項２１又は２２に記載の端末装置。
【請求項２４】
前記第一の受信ユニットはさらに、ネットワーク装置から送信された第一の同期信号ブロックを受信するように構成され、前記第一の同期信号ブロックと前記複数の同期信号ブロックのうちの任意の一つの同期信号ブロックは前記第一の周期における時間シーケンスが異なり、
前記第二の受信ユニットはネットワーク装置から送信された指示情報を受信するように構成され、前記指示情報は、前記任意の一つの同期信号ブロックと前記第一の同期信号ブロックとの間隔の時間領域ユニットの数を示すことに用いられ、
前記確定ユニットは具体的に、前記第一の同期信号ブロックの前記第一の周期における時間シーケンス及び前記時間領域ユニットの数に基づき、前記各同期信号ブロックの第一の周期における時間シーケンスを確定するように構成されることを特徴とする
請求項２１又は２２に記載の端末装置。
【請求項２５】
前記端末装置は、前記ネットワーク装置から送信された指示情報を受信するように構成される第二の受信ユニットをさらに備え、前記指示情報は、前記各同期信号ブロックの前記第一の周期における時間シーケンスを示すことに用いられ、
前記確定ユニットは具体的に、前記指示情報に基づき、前記各同期信号ブロックの前記第一の周期における時間シーケンスを確定するように構成されることを特徴とする
請求項２１又は２２に記載の端末装置。
【請求項２６】
前記端末装置は、前記ネットワーク装置から送信された指示情報を受信するように構成される第二の受信ユニットをさらに備え、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であり、
前記確定ユニットは具体的に、前記第一の対応関係に基づき、前記各同期信号ブロックの前記第一の周期における時間シーケンスを確定するように構成されることを特徴とする
請求項２１又は２２に記載の端末装置。
【請求項２７】
前記指示情報は、ブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項２３〜２６のいずれか一項に記載の端末装置。
【請求項２８】
前記第二の受信ユニットは具体的に、プライマリ搬送波の上で前記ネットワーク装置から送信された前記指示情報を受信するように構成されることを特徴とする
請求項２３〜２７のいずれか一項に記載の端末装置。
【請求項２９】
前記プライマリ搬送波は新しい無線（ＮＲ）システム又は長期進化（ＬＴＥ）システムにおける搬送波であることを特徴とする
請求項２８に記載の端末装置。
【請求項３０】
前記同期信号ブロックは少なくともプライマリ同期信号とセカンダリ同期信号を含むことを特徴とする
請求項２１〜２９のいずれか一項に記載の端末装置。
【請求項３１】
信号伝送のネットワーク装置であって、
端末装置へ指示情報を送信するように構成される第一の送信ユニットであって、前記指示情報が複数の同期信号ブロックの各同期信号ブロックの第一の周期における時間シーケンスを確定するために前記端末装置によって用いられる第一の送信ユニットと、
前記各同期信号ブロックの前記第一の周期における時間シーケンスに基づき、前記端末装置へ前記複数の同期信号ブロックを送信するように構成される第二の送信ユニットとを備えることを特徴とする、前記ネットワーク装置。
【請求項３２】
前記複数の同期信号ブロックが同一のセルの異なる同期信号ブロックであり、前記第一の周期の時間長が前記複数の同期信号ブロックのうちの一つの伝送周期に等しいことを特徴とする
請求項３１に記載のネットワーク装置。
【請求項３３】
前記指示情報は、送信しようとする前記複数の同期信号ブロックの数を示すことに用いられ、前記複数の同期信号ブロックの数と前記複数の同期信号ブロックの前記第一の周期における時間シーケンスとの間は対応関係があることを特徴とする
請求項３１又は３２に記載のネットワーク装置。
【請求項３４】
前記指示情報は、前記複数の同期信号ブロックのうちの任意の一つの同期信号ブロックと第一の同期信号ブロックとの間隔の時間領域ユニットの数を示すことに用いられ、前記第一の同期信号ブロックと前記任意の一つの同期信号ブロックは前記第一の周期における時間シーケンスが異なり、
前記第二の送信ユニットはさらに、前記第一の同期信号ブロックの前記第一の周期における時間シーケンスに基づき、前記端末装置へ前記第一の同期信号ブロックを送信するように構成されることを特徴とする
請求項３１又は３２に記載のネットワーク装置。
【請求項３５】
前記指示情報は、前記各同期信号ブロックの前記第一の周期における時間シーケンスを示すことに用いられることを特徴とする
請求項３１又は３２に記載のネットワーク装置。
【請求項３６】
前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であることを特徴とする
請求項３１又は３２に記載のネットワーク装置。
【請求項３７】
前記指示情報は、ブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項３１〜３６のいずれか一項に記載のネットワーク装置。
【請求項３８】
前記第一の送信ユニットは具体的に、プライマリ搬送波の上で前記端末装置へ前記指示情報を送信するように構成されることを特徴とする
請求項３１〜３７のいずれか一項に記載のネットワーク装置。
【請求項３９】
前記プライマリ搬送波は新しい無線（ＮＲ）システム又は長期進化（ＬＴＥ）システムにおける搬送波であることを特徴とする
請求項３８に記載のネットワーク装置。
【請求項４０】
前記同期信号ブロックは少なくともプライマリ同期信号とセカンダリ同期信号を含むことを特徴とする
請求項３１〜３９のいずれか一項に記載のネットワーク装置。
【発明の詳細な説明】
【技術分野】
【０００１】
本出願の実施例は通信分野に関し、且つより具体的には、信号伝送方法、端末装置及びネットワーク装置に関する。
【背景技術】
【０００２】
マルチビーム（Ｍｕｌｔｉ−ｂｅａｍ）システムは、異なるビームでセル全体をカバーし、即ち各ビームが一つの小さい範囲をカバーし、時間的な掃引（ｓｗｅｅｐｉｎｇ）により、複数のビームでセル全体をカバーするという効果を実現する。いくつかの異なるビームで異なる同期信号（ＳＳ：Ｓｙｎｃ  Ｓｉｇｎａｌ）ブロック（Ｂｌｏｃｋ）が伝送され、一つの同期信号周期内の複数のＳＳ  Ｂｌｏｃｋが一つのＳＳ  Ｂｌｏｃｋ  ｂｕｒｓｔに組み合わせられ、複数のＳＳ  Ｂｌｏｃｋ  ｂｕｒｓｔが一つのＳＳ  ｂｕｒｓｔに組み合わせられる。端末装置は、複数のビームを取得したい場合、一般的に同期信号周期全体内で検出する必要があるため、検出時間が長くなり、電力消費が大きくなる。
【発明の概要】
【発明が解決しようとする課題】
【０００３】
これに鑑み、本出願の実施例は、端末装置の計算の複雑さを低減し、検出時間を減らし、電力消費を節約することができる信号伝送方法、端末装置及びネットワーク装置を提供する。
【課題を解決するための手段】
【０００４】
第一の態様による信号伝送方法は、複数の同期信号ブロックの各同期信号ブロックの第一の周期における時間シーケンスを確定することと、前記各同期信号ブロックの前記第一の周期における時間シーケンスに基づき、前記複数の同期信号ブロックをそれぞれ受信することとを含む。
【０００５】
ここで同期信号ブロックの時間シーケンスとは同期信号ブロックに占有された時間領域リソースを指し、時間領域ユニットを単位とすることができる。
【０００６】
また、ここでの複数の同期信号ブロックは一つのセルの全て又は一部の同期信号ブロックを指すことができ、前記端末装置によってアクセスされる現在のセルの隣接セルの全て又は一部の同期信号ブロックを含むことができる。
【０００７】
ここでの複数の同期信号ブロックが同一のセルの異なる同期信号ブロックである場合、前記第一の周期の時間長が前記セルのいずれかの同期信号ブロックの伝送周期に等しくてもよい。ここで、同期信号ブロックが異なることは同期信号ブロックに用いられるビームが異なることを指すことができ、同期信号ブロックに含まれる信号タイプ又は信号内容が異なることを指すこともできる。言い換えれば、第一の周期の時間長が同一のビームの伝送周期に等しくてもよい。
【０００８】
端末装置は複数の同期信号ブロックの一つの周期における時間シーケンスを予め確定することにより、固定された時間領域リソースで同期信号ブロックを受信することができ、それによって端末装置は計算の複雑さを大幅に低減し、検出時間を減らし、消費電力を低減することができる。
【０００９】
一つの可能な実施形態として、前記方法はさらに、ネットワーク装置から送信された指示情報を受信することを含み、前記指示情報は、送信しようとする前記複数の同期信号ブロックの数を示すことに用いられ、前記複数の同期信号ブロックの各同期信号ブロックの第一の周期における時間シーケンスを確定することは、前記複数の同期信号ブロックの数に基づき、前記複数の同期信号ブロックの数に対応する前記各同期信号ブロックの第一の周期における時間シーケンスを確定することを含む。
【００１０】
前記同期信号ブロックの数と複数の同期信号ブロックの時間シーケンスのマッピング関係はプロトコルの規定を採用することができ、または無線リソース制御（Ｒａｄｉｏ  Ｒｅｓｏｕｒｃｅ  Ｃｏｎｔｒｏｌ：ＲＲＣ）シグナルの準静的構成によって構成可能である。
【００１１】
一つの可能な実施形態として、前記方法はさらに、ネットワーク装置から送信された第一の同期信号ブロックを受信することであって、前記第一の同期信号ブロックと前記複数の同期信号ブロックのうちの任意の一つの同期信号ブロックは前記第一の周期における時間シーケンスが異なることと、ネットワーク装置から送信された指示情報を受信することであって、前記指示情報は、前記任意の一つの同期信号ブロックと前記第一の同期信号ブロックとの間隔の時間領域ユニットの数を示すことに用いられることとを含み、前記複数の同期信号ブロックの各同期信号ブロックの第一の周期における時間シーケンスを確定することは、前記第一の同期信号ブロックの前記第一の周期における時間シーケンス及び前記時間領域ユニットの数に基づき、前記各同期信号ブロックの第一の周期における時間シーケンスを確定することを含む。
【００１２】
ここでの時間領域ユニットは直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよく、マイクロタイムスロットなどであってもよい。
【００１３】
一つの可能な実施形態として、前記方法はさらに、前記ネットワーク装置から送信された指示情報を受信することを含み、前記指示情報は、前記各同期信号ブロックの第一の周期における時間シーケンスを示すことに用いられ、前記複数の同期信号ブロックの各同期信号ブロックの第一の周期における時間シーケンスを確定することは、前記指示情報に基づき、前記各同期信号ブロックの第一の周期における時間シーケンスを確定することを含む。
【００１４】
一つの可能な実施形態として、前記方法はさらに、前記ネットワーク装置から送信された指示情報を受信することを含み、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であり、前記複数の同期信号ブロックの各同期信号ブロックの第一の周期における時間シーケンスを確定することは、前記第一の対応関係に基づき、前記各同期信号ブロックの前記第一の周期における時間シーケンスを確定することを含む。
【００１５】
一つの可能な実施形態として、前記指示情報がブロードキャストメッセージ、システムメッセージ、無線リソース制御（ＲＲＣ：Ｒａｄｉｏ  Ｒｅｓｏｕｒｃｅ  Ｃｏｎｔｒｏｌ）シグナリング、媒体アクセス制御（ＭＡＣ：Ｍｅｄｉａ  Ａｃｃｅｓｓ  Ｃｏｎｔｒｏｌ）制御エレメント（ＣＥ：Ｃｏｎｔｒｏｌ  Ｅｌｅｍｅｎｔ）シグナリング及びダウンリンク制御情報（ＤＣＩ：Ｄｏｗｎｌｉｎｋ  Ｃｏｎｔｒｏｌ  Ｉｎｆｏｒｍａｔｉｏｎ）のうちの少なくとも一つに搬送される。
【００１６】
一つの可能な実施形態として、長期進化（ＬＴＥ：Ｌｏｎｇ  Ｔｅｒｍ  Ｅｖｏｌｕｔｉｏｎ）システム又は新しい無線（ＮＲ：Ｎｅｗ  Ｒａｄｉｏ）システムにおける搬送波はいずれもプライマリ搬送波とすることができ、プライマリ搬送波でそのセカンダリ搬送波の同期信号ブロックの一つの周期における時間シーケンスを端末装置に通知することができ、換言すれば、プライマリ搬送波の上で様々なシグナリングを介して端末装置に指示情報を送信することができる。
【００１７】
一つの可能な実施形態として、同期信号ブロックが主にプライマリ同期信号（ＰＳＳ：Ｐｒｉｍａｒｙ  Ｓｙｎｃｈｒｏｎｉｚａｔｉｏｎ  Ｓｉｇｎａｌ）とセカンダリ同期信号（ＳＳＳ：Ｓｅｃｏｎｄａｒｙ  Ｓｙｎｃｈｒｏｎｉｚａｔｉｏｎ  Ｓｉｇｎａｌ）から構成され、いくつかの同期信号ブロックに物理ブロードキャストチャネル（ＰＢＣＨ：Ｐｈｙｓｉｃａｌ  Ｂｒｏａｄｃａｓｔ  Ｃｈａｎｎｅｌ）が含まれてもよく、さらには第三のタイプの同期信号が含まれる可能性がある。
【００１８】
第二の態様による信号伝送方法は、端末装置へ指示情報を送信することであって、前記指示情報が複数の同期信号ブロックの各同期信号ブロックの第一の周期における時間シーケンスを確定するために前記端末装置によって用いられることと、前記各同期信号ブロックの前記第一の周期における時間シーケンスに基づき、前記端末装置へ前記複数の同期信号ブロックを送信することとを含む。
【００１９】
複数の同期信号ブロックの一つの周期における時間シーケンスを端末装置に示すことにより、端末装置は計算の複雑さを大幅に低減し、検出時間を減らし、消費電力を低減することができる。
【００２０】
一つの可能な実施形態として、前記複数の同期信号ブロックが同一のセルの異なる同期信号ブロックであり、前記第一の周期の時間長が前記複数の同期信号ブロックのうちの一つの伝送周期に等しい。
【００２１】
一つの可能な実施形態として、前記指示情報は、送信しようとする前記複数の同期信号ブロックの数を示すことに用いられ、前記複数の同期信号ブロックの数と前記複数の同期信号ブロックの前記第一の周期における時間シーケンスとの間は対応関係がある。
【００２２】
一つの可能な実施形態として、前記指示情報は、前記複数の同期信号ブロックのうちの任意の一つの同期信号ブロックと第一の同期信号ブロックとの間隔の時間領域ユニットの数を示すことに用いられ、前記第一の同期信号ブロックと前記任意の一つの同期信号ブロックは前記第一の周期における時間シーケンスが異なり、前記方法はさらに、前記第一の同期信号ブロックの前記第一の周期における時間シーケンスに基づき、前記端末装置へ前記第一の同期信号ブロックを送信することを含む。
【００２３】
一つの可能な実施形態として、前記指示情報は、前記各同期信号ブロックの前記第一の周期における時間シーケンスを示すことに用いられる。
【００２４】
一つの可能な実施形態として、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係である。
【００２５】
一つの可能な実施形態として、前記指示情報は、ブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【００２６】
一つの可能な実施形態として、前記端末装置へ指示情報を送信することは、プライマリ搬送波の上で前記端末装置へ前記指示情報を送信することを含む。
【００２７】
一つの可能な実施形態として、前記プライマリ搬送波は新しい無線（ＮＲ）システム又は長期進化（ＬＴＥ）システムにおける搬送波である。
【００２８】
一つの可能な実施形態として、前記同期信号ブロックは少なくともプライマリ同期信号とセカンダリ同期信号を含む。
【００２９】
第三の態様による端末装置は上記第一の態様又は第一の態様のいずれかの可能な実施形態における方法を実行することに用いられる。具体的には、前記端末装置は、上記第一の態様又は第一の態様のいずれかの可能な実施形態における方法を実行するためのユニットを備える。
【００３０】
第四の態様によるネットワーク装置は上記第二の態様又は第二の態様のいずれかの可能な実施形態における方法を実行することに用いられる。具体的には、前記ネットワーク装置は、上記第二の態様又は第二の態様のいずれかの可能な実施形態における方法を実行するためのユニットを備える。
【００３１】
第五の態様による端末装置は、メモリ、プロセッサ、入力インタフェース及び出力インタフェースを備える。ここで、メモリ、プロセッサ、入力インタフェース及び出力インタフェースはバスシステムを介して接続される。前記メモリが命令を記憶するように構成され、前記プロセッサが前記メモリに記憶された、上記第一の態様又は第一の態様のいずれかの可能な実施形態における方法を実行するための命令を実行するように構成される。
【００３２】
第六の態様によるネットワーク装置は、メモリ、プロセッサ、入力インタフェース及び出力インタフェースを備える。ここで、メモリ、プロセッサ、入力インタフェース及び出力インタフェースはバスシステムを介して接続される。前記メモリが命令を記憶するように構成され、前記プロセッサが前記メモリに記憶された、上記第二の態様又は第二の態様のいずれかの可能な実施形態における方法を実行するための命令を実行するように構成される。
【００３３】
第七の態様によるコンピュータ記憶媒体は、上記第一の態様又は第一の態様のいずれかの可能な実施形態における方法、又は上記第二の態様又は第二の態様のいずれかの可能な実施形態における方法を実行するための、上記態様を実行するために設計されたプログラムを含むコンピュータソフトウェア命令を記憶するように構成される。
【００３４】
本出願のこれらの態様又は他の態様は以下の実施例の説明からより容易に明らかになる。
【図面の簡単な説明】
【００３５】
【図１】本出願の実施例の一つの応用シーンを示す概略図である。
【図２】ＳＳ  ｂｕｒｓｔの一つの同期信号周期における時間シーケンスを示す構成図である。
【図３】ＳＳ  ｂｕｒｓｔの一つの同期信号周期における時間シーケンスを示す別の構成図である。
【図４】本出願の実施例による信号伝送方法を示す概略ブロック図である。
【図５】本出願の実施例による信号伝送方法を示す別の概略ブロック図である。
【図６】本出願の実施例による端末装置を示す概略ブロック図である。
【図７】本出願の実施例によるネットワーク装置を示す概略ブロック図である。
【図８】本出願の実施例による端末装置を示す別の概略ブロック図である。
【図９】本出願の実施例によるネットワーク装置を示す別の概略ブロック図である。
【発明を実施するための形態】
【００３６】
以下に本発明の実施例の図面を組み合わせながら、本出願の実施例における技術的解決策を明確に、全面的に説明する。
【００３７】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００３８】
特に、本出願の実施例の技術的解決策は、非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然ＳＣＭＡシステムとＬＤＳシステムが通信分野において他の名称と呼ばれてもよく、さらに、本発明の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００３９】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置と呼ばれてもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００４０】
本出願の実施例におけるネットワーク装置は端末装置と通信するための装置であってもよく、前記ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ又はｅＮｏｄｅＢ：Ｅｖｏｌｕｔｉｏｎａｌ  ＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は前記ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例では限定されない。
【００４１】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク送信を表すことができる。
【００４２】
ＬＴＥシステムでは、端末装置が最初に隣接セルにアクセスする場合、又は隣接セルを測定する必要がある場合、セル検索プロセスが必要であり、端末装置はセル物理ＩＤを取得し、そして同時にシステムの時間シーケンス同期及び周波数同期情報を取得するためにセル検索を実行し、このプロセスがシステム帯域幅とは無関係であり、端末装置は直接検出及び取得することができる。物理層は物理セルＩＤ（ＰＣＩ：Ｐｈｙｓｉｃａｌ  Ｃｅｌｌ  Ｉｄｅｎｔｉｔｉｅｓ）によって異なるセルを区分する。物理セルＩＤが合計５０４つであり、それらは１６８つの異なるバースト（Ｎ（２）＿ＩＤとして表され、範囲が０−１６７である）に分けられ、各バーストに３つの異なるバースト内識別子（Ｎ（２）＿ＩＤとして表され、範囲が０−２である）が含まれる。したがって、物理セルＩＤ（Ｎｃｅｌｌ＿ＩＤとして表される）は次の式で計算されてもよい。
【００４３】
2020511088.tif 000003
ＰＳＳはバースト内ＩＤ即ちＮ（２）＿ＩＤ値を伝送することに用いられ、ＳＳＳはバースト内ＩＤ即ちＮ（１）＿ＩＤ値を伝送することに用いられる。ＦＤＤモードに対して、ＰＳＳがタイムスロット０とタイムスロット１０の最後のＯＦＤＭシンボルに周期的に表示され、ＳＳＳがタイムスロット０とタイムスロット１０の最後から２番目のシンボルに周期的に表示される。ＴＤＤモードに対して、ＰＳＳがサブフレーム１、６の３番目のＯＦＤＭシンボルに周期的に表示され、ＳＳＳがサブフレーム０、５の最後のシンボルに周期的に表示される。
【００４４】
ＮＲ通信システムでは、マルチアンテナアレイ、ビームフォーミングなどの設計が導入され、例えば元の一つのセルを複数のビームで覆い、ビームゲインが高周波数帯域の使用によって引き起こされる有効範囲の減少をある程度補償することができ、同時に相互干渉を減らし、システム性能を高めることもできる。
【００４５】
ＮＲに同期信号ブロック（ＳＳ  Ｂｌｏｃｋ）が導入され、主にＰＳＳとＳＳＳから構成され、いくつかのＳＳ  ＢｌｏｃｋにＰＢＣＨが含まれてもよく、さらには第三のタイプの同期信号が含まれる可能性があり、本出願の実施例ではＳＳ  ｂｌｏｃｋに含まれる信号のタイプが限定されない。ＮＲでは、同期信号の長さが増加してもよく、例えば１２７になることができ、同時に周波数領域で重複してもよく、その結果、同期帯域幅は整数倍増加する。同期信号がＳＳ  Ｂｌｏｃｋを最小ユニットとし、複数のＳＳ  Ｂｌｏｃｋが一つのＳＳ  ｂｕｒｓｔに組み合わせられ、複数のＳＳ  ｂｕｒｓｔが一つのＳＳ  ｂｕｒｓｔ  ｓｅｔに組み合わせられ、ＳＳ  Ｂｌｏｃｋでは時分割多重（ＴＤＭ：Ｔｉｍｅ  Ｄｉｖｉｓｉｏｎ  Ｍｕｌｔｉｐｌｅ）形式でマッピングすることも可能である。図２に示すように、同期信号が即ちＳＳ  ｂｕｒｓｔの伝送周期１０ｍｓであり、ここでのＳＳ  Ｂｕｒｓｔの伝送周期が同一のセル内の同じ同期信号ブロックの伝送周期として考えられてもよく、３つのビームを用いてＳＳ  Ｂｌｏｃｋ＃１、ＳＳ  Ｂｌｏｃｋ＃２、ＳＳ  Ｂｌｏｃｋ＃３を送信することができ、ここで各ＳＳ  Ｂｌｏｃｋが図２に示すように分離されなくてもよく、一定の単位の時間領域ユニットで分離されてもよい。一つのＳＳ  Ｂｕｒｓｔの伝送周期内で、異なるＳＳ  Ｂｌｏｃｋ間の時間シーケンス図はさらに図３に示す信号が交差する様子であってもよい。
【００４６】
図４は本出願の実施例による信号伝送方法１００を示す概略ブロック図である。図４に示すように、前記方法１００は端末装置によって実行されてもよく、具体的にユーザ装置によって実行されてもよく、前記方法１００はＳ１１０とＳ１２０を含む。
【００４７】
Ｓ１１０において、複数の同期信号ブロックの各同期信号ブロックの第一の周期における時間シーケンスを確定する。
【００４８】
Ｓ１２０において、前記各同期信号ブロックの前記第一の周期における時間シーケンスに基づき、前記複数の同期信号ブロックをそれぞれ受信する。
【００４９】
まず、説明すべきものとして、ここで同期信号ブロックの時間シーケンスとは同期信号ブロックに占有された時間領域リソースを指し、時間領域ユニットを単位とすることができる。例えば、第一の周期のリソースが時間領域で７つのＯＦＤＭシンボルを含み、ネットワーク装置が端末装置へ３つの同期信号ブロックを送信し、そしてネットワーク装置がこの３つの同期信号ブロックの第一の周期におけるどのＯＦＤＭシンボルに位置するかを一定の方式で端末装置に通知する場合、端末装置はネットワーク装置によって通知されたＯＦＤＭシンボルでこの３つの同期信号ブロックを直接受信することができる。
【００５０】
選択可能に、前記第一の周期の時間長が前記複数の同期信号ブロックの伝送周期に等しくてもよい。
【００５１】
理解すべきものとして、本出願の実施例における周期の長さが従来技術における同期信号の周期と同様であってもよく、同一のセルのいずれかのＳＳ  Ｂｌｏｃｋの伝送周期であってもよく、同一のセルのＳＳ  Ｂｌｏｃｋを伝送する同一のビームの伝送周期であってもよい。具体的に図２又は図３に示す周期が１０ｍｓであってもよい。ここで、ＳＳ  Ｂｌｏｃｋが同じであることは含まれる信号のタイプが完全に同じであり、そして含まれる信号の内容も完全に同じであることを指す。２つのＳＳ  Ｂｌｏｃｋに含まれる信号のタイプが異なり、又は含まれる信号のタイプが同じであるが信号の内容が完全に同じではなく、又は２つのＳＳ  Ｂｌｏｃｋに用いられるビームが異なる場合、この２つのＳＳ  Ｂｌｏｃｋは異なる。例えば、ＳＳ  Ｂｌｏｃｋ＃１がＰＳＳとＳＳＳを含み、ＰＳＳ伝送のＮ（２）＿ＩＤが０であり、ＳＳＳ伝送のＮ（２）＿ＩＤが１０であり、用いられるビームがビーム１であり、ＳＳ  Ｂｌｏｃｋ＃２もＰＳＳとＳＳＳを含み、ＰＳＳ伝送のＮ（２）＿ＩＤが０であり、ＳＳＳ伝送のＮ（２）＿ＩＤが１０であり、用いられるビームがビーム２又はＳＳ  Ｂｌｏｃｋ＃２がＰＳＳ、ＳＳＳ及びＰＢＣＨを含む場合、ＳＳ  Ｂｌｏｃｋ＃１とＳＳ  Ｂｌｏｃｋ＃２は異なる。
【００５２】
また、理解すべきものとして、端末装置はさらに一つの周期内のあるブロックの時間領域リソースが複数のＳＳ  Ｂｌｏｃｋを受信することに用いられることを確定することができ、そのため端末装置はその部分の時間領域リソースのみで前記複数のＳＳ  Ｂｌｏｃｋを検出すればよい。例えば、ネットワーク装置が一つの周期内で端末装置へ５つのＳＳ  Ｂｌｏｃｋを送信する場合、端末装置は一つの周期における２番目の時間領域ユニット〜６番目の時間領域ユニットでＳＳ  Ｂｌｏｃｋを受信するが、２番目〜４番目の時間領域ユニットだけで前記５つのＳＳ  Ｂｌｏｃｋを検出する可能性があることを確定することができる。即ち、端末装置は各ＳＳ  Ｂｌｏｃｋがどの具体的なリソースで伝送されるかを確定する必要がなく、ほぼ位置を知ることだけでよい。
【００５３】
したがって、本出願の実施例による信号伝送方法では、端末装置は複数のＳＳ  Ｂｌｏｃｋの一つの周期における時間シーケンスを予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【００５４】
選択可能に、本出願の実施例では、前記方法はさらに、ネットワーク装置から送信された指示情報を受信することを含み、前記指示情報は、送信しようとする前記複数の同期信号ブロックの数を示すことに用いられ、前記複数の同期信号ブロックの各同期信号ブロックの第一の周期における時間シーケンスを確定することは、前記複数の同期信号ブロックの数に基づき、前記複数の同期信号ブロックの数に対応する前記各同期信号ブロックの前記第一の周期における時間シーケンスを確定することを含み、前記複数の同期信号ブロックの時間シーケンスのそれぞれは、前記複数の同期信号ブロックのそれぞれに対応する。
【００５５】
さらに、ネットワーク装置は端末装置のために複数の対応関係を構成し、且つ端末装置へ送信する。ネットワーク装置は端末装置へ指示情報を送信し、前記指示情報は、送信しようとする複数の同期信号ブロックの数を示すことに用いられ、端末装置は、指示情報によって指示される数に基づいて複数の対応関係のうちの第一の対応関係を確定し、且つ第一の対応関係に基づいて前記各同期信号ブロッの第一の周期における時間シーケンスを確定する。
【００５６】
具体的には、ネットワーク装置は端末装置に送信されるＳＳ  Ｂｌｏｃｋの数とこれらのＳＳ  Ｂｌｏｃｋの一つのＳＳ  ｂｕｒｓｔ周期における時間シーケンス関係を予め設定することができる。例えば、ネットワーク装置はそれぞれ一つのＳＳ  ｂｕｒｓｔ周期の先頭の３つの時間領域ユニットで伝送するように３つのＳＳ  Ｂｌｏｃｋを構成することができ、又はネットワーク装置はそれぞれ一つのＳＳ  ｂｕｒｓｔ周期の１、３、５、７、９の時間領域ユニットで伝送するように５つのＳＳ  Ｂｌｏｃｋを構成することなどがある。又はネットワーク装置はさらに３つのＳＳ  Ｂｌｏｃｋの時間シーケンスと５つのＳＳ  Ｂｌｏｃｋの時間シーケンスを同時に構成することができる。要約すると、この指示モードでは、ＳＳ  Ｂｌｏｃｋの時間シーケンスは通常静的に設定され又は半静的に設定される。
【００５７】
選択可能に、本出願の実施例では、前記方法はさらに、ネットワーク装置から送信された第一の同期信号ブロックを受信することであって、前記第一の同期信号ブロックと前記複数の同期信号ブロックのうちの任意の一つの同期信号ブロックは前記第一の周期における時間シーケンスが異なることと、ネットワーク装置から送信された指示情報を受信することであって、前記指示情報は、前記任意の一つの同期信号ブロックと前記第一の同期信号ブロックとの間隔の時間領域ユニットの数を示すことに用いられることとを含み、前記複数の同期信号ブロックの各同期信号ブロックの第一の周期における時間シーケンスを確定することは、前記第一の同期信号ブロックの前記第一の周期における時間シーケンス及び前記時間領域ユニットの数に基づき、前記各同期信号ブロックの第一の周期における時間シーケンスを確定することを含む。
【００５８】
選択可能に、ネットワーク装置はさらに指示情報を端末装置に予め送信することができ、指示情報が複数の同期信号ブロックにおける隣接する２つの同期信号ブロックの間の時間領域ユニットの数を示すことに用いられ、端末装置がそのうちの一つの同期信号ブロックの時間シーケンスを検出した場合、端末装置は前記指示情報によって示される複数の同期信号ブロックにおける隣接する２つの同期信号ブロックの間の時間領域ユニットの数に基づき、他の同期信号ブロックの可能な時間シーケンスを確定することができる。
【００５９】
さらに、いずれかの２つの同期信号ブロックの間の時間領域ユニットの数が同じである場合、ネットワーク装置が端末のみへ送信することができる指示情報は一つの間隔数のみを示すことができ、ネットワーク装置がさらに送信しようとする同期信号ブロックの数を端末装置に通知する場合、端末装置はネットワーク装置によって設定された送信しようとする同期信号ブロックの可能な時間シーケンスを確定することができる。いずれかの２つの同期信号ブロックの間の時間領域ユニットの数が同じであるか否かに関わらず、ネットワーク装置から端末装置に送信される指示情報が全て複数の間隔を示すことができ、したがって、ネットワーク装置は送信しようとする同期信号ブロックの数を端末装置に通知する必要がなく、端末装置は、ネットワーク装置が送信しようとする同期信号ブロックの可能な時間シーケンスを確定することができる。
【００６０】
例えば、ネットワーク装置が端末装置へ５つのＳＳ  Ｂｌｏｃｋを送信しようとし、そしてネットワーク装置がそれぞれ一つのＳＳ  ｂｕｒｓｔ周期内の１、３、５、７及び９番目の時間領域ユニットで伝送しようとする場合、ネットワーク装置は２つのＳＳ  Ｂｌｏｃｋごとに１つの時間領域ユニットが隔てられることを端末装置に通知することができ、端末装置がそのうちの一つ例えば３番目の時間領域ユニットにおけるＳＳ  Ｂｌｏｃｋを検出した場合、端末装置は前記ＳＳ  ｂｕｒｓｔ周期内の他の単数の時間領域ユニットでＳＳ  Ｂｌｏｃｋで順次検出することができ、ネットワーク装置は隣接する２つのＳＳ  Ｂｌｏｃｋ間の間隔が等しいこと及び隔てられる時間領域ユニットの数を端末装置に通知するとともに、ＳＳ  Ｂｌｏｃｋの総数を端末装置に通知することもできる。また、例えば、いずれかの２つのＳＳ  Ｂｌｏｃｋの間の時間領域ユニットの数が等しくなくてもよく、ネットワーク装置は、（Ｋ−１）個の間隔の数を端末装置に通知することができ、ここでＫがＳＳ  Ｂｌｏｃｋの数であり、端末装置がそのうちの一つのＳＳ  Ｂｌｏｃｋを検出した場合、前記（Ｋ−１）個の間隔の数に基づいて他のＳＳ  Ｂｌｏｃｋの一つのＳＳ  ｂｕｒｓｔ周期における時間領域リソース位置を確定することができる。又は、ネットワーク装置はさらに１番目のＳＳ  Ｂｌｏｃｋの一つのＳＳ  ｂｕｒｓｔ周期における時間領域リソース位置を端末装置に通知することができ、従って、端末装置は前記複数のＳＳ  ｂｌｏｃｋにおける２つのＳＳ  Ｂｌｏｃｋごとの間隔及び１番目のＳＳ  Ｂｌｏｃｋの位置に基づき、他のＳＳ  Ｂｌｏｃｋの位置を直接確定することができる。
【００６１】
選択可能に、本出願の実施例では、前記方法はさらに、前記ネットワーク装置から送信された指示情報を受信することを含み、前記指示情報が前記各同期信号ブロックの前記第一の周期における時間シーケンスを示すことに用いられ、前記複数の同期信号ブロックの各同期信号ブロックの第一の周期における時間シーケンスを確定することは、前記指示情報に基づき、前記各同期信号ブロックの前記第一の周期における時間シーケンスを確定することを含む。
【００６２】
具体的には、ネットワーク装置はさらに端末装置に送信しようとするＳＳ  Ｂｌｏｃｋにおける各ＳＳ  Ｂｌｏｃｋの一つのＳＳ  ｂｕｒｓｔ周期における具体的な位置を端末装置に動的に示すことができる。例えば、ネットワーク装置は送信される３つのＳＳ  Ｂｌｏｃｋがそれぞれ一つのＳＳ  Ｂｕｒｓｔ周期の先頭の３つの時間領域ユニットに構成されることを端末装置に直接示すことができる。端末装置は前記指示情報を受信した後、前記ＳＳ  Ｂｕｒｓｔ周期の先頭の３つの時間領域ユニットで前記３つのＳＳ  Ｂｌｏｃｋを直接検出することができる。
【００６３】
選択可能に、本出願の実施例では、前記方法はさらに、前記ネットワーク装置から送信された指示情報を受信することを含み、前記指示情報が複数の対応関係のうちの第一の対応関係を示すことに用いられ、前記対応関係が同期信号ブロックバーストの前記第一の伝送周期における時間シーケンスのマッピングであり、前記複数の同期信号ブロックの各同期信号ブロックの第一の周期における時間シーケンスを確定することは、前記第一の対応関係に基づき、前記各同期信号ブロックの前記第一の周期における時間シーケンスを確定することを含む。
【００６４】
具体的には、ネットワーク装置は複数のＳＳ  Ｂｌｏｃｋの一つのＳＳ  ｂｕｒｓｔ周期における時間領域位置を予め固定することができ、そして複数の対応関係を予め設定することができる。例えば、ネットワーク装置は５つのＳＳ  Ｂｌｏｃｋを端末装置に送信するように予め構成し、そして前記５つのＳＳ  Ｂｌｏｃｋを送信するための時間領域リソースを一つのＳＳ  ｂｕｒｓｔ周期において固定する。例えば、前記５つのＳＳ  Ｂｌｏｃｋを一つのＳＳ  ｂｕｒｓｔ周期内の先頭の５つの時間領域ユニットに固定することができ、ネットワーク装置はさらに前記５つのＳＳ  Ｂｌｏｃｋを一つのＳＳ  ｂｕｒｓｔ周期内の２、３、５、７、８番目の時間領域ユニットに固定することができる。ネットワーク装置はこの２つの構成関係を保存し、そして前記２つの構成関係を端末装置に送信することができ、ネットワーク装置が端末装置に５つのＳＳ  Ｂｌｏｃｋを送信する時に、まず端末装置へ一つの指示情報を送信し、そのうちの一つの構成関係を示すことができ、このようにして端末装置は前記指示情報を受信した後、構成関係を知ることができ、指示情報によって示される構成関係を用いてネットワークから送信されたＳＳ  Ｂｌｏｃｋを受信する。例えば、一つのｂｉｔの指示情報を用いて構成関係を示すことができ、上記第一の構成関係を０で表し、上記第二の構成関係を１で表すことができる。
【００６５】
理解すべきものとして、上記の様々な指示方式が概略的な説明だけであり、ネットワーク装置はさらに上記の様々な指示方式の組み合わせを用い、端末装置が複数のＳＳ  Ｂｌｏｃｋの一つのＳＳ  ｂｕｒｓｔ周期における時間領域位置を確定することを実現することができる。
【００６６】
選択可能に、本出願の実施例では、前記指示情報はブロードキャストメッセージ、システムメッセージ、無線リソース制御（ＲＲＣ：Ｒａｄｉｏ  Ｒｅｓｏｕｒｃｅ  Ｃｏｎｔｒｏｌ）シグナリング、ＭＡＣ  ＣＥシグナリングとＤＣＩシグナリングのうちの少なくとも一つに搬送されてもよい。
【００６７】
具体的には、端末装置がネットワーク装置とネットワーク接続を確立しない場合、セルのブロードキャストメッセージ又はシステムメッセージを介して上記の様々な指示情報を送信することができ、端末装置がネットワーク装置とＲＲＣ接続を確立した後、規定又はニーズに応じて、ネットワーク装置はＲＲＣシグナリング、ＭＡＣ  ＣＥシグナリング又はＤＣＩシグナリングを介して上記の様々な指示情報を送信することができる。ＳＳ  Ｂｌｏｃｋの一つのＳＳ  ｂｕｒｓｔ周期における時間領域位置がプロトコルによって規定されてもよく、ネットワーク装置によって静的又は半静的に設定されてもよい。
【００６８】
選択可能に、本出願の実施例では、ネットワーク装置から送信された指示情報を受信することは、前記ネットワーク装置から送信された前記指示情報をプライマリ搬送波で受信することを含む。
【００６９】
ＬＴＥシステム又はＮＲシステムでの搬送波が全てプライマリ搬送波として用いられてもよく、そのセカンダリ搬送波におけるＳＳ  Ｂｌｏｃｋの一つの周期における時間シーケンスをプライマリ搬送波で端末装置に通知することができ、言い換えれば、プライマリ搬送波で上記の様々なシグナリングを介して端末装置へ指示情報を送信することができる。
【００７０】
説明すべきものとして、ネットワーク装置から端末装置に送信される複数のＳＳ  Ｂｌｏｃｋがネットワーク装置によって設定された一つのセル内の全てのＳＳ  Ｂｌｏｃｋの数であってもよく、一部のＳＳ  Ｂｌｏｃｋの数であってもよく、本出願の実施例では、端末装置に対して、セルに構成されたＳＳ  Ｂｌｏｃｋの数と関連せず、ネットワーク装置から送信されたＳＳ  Ｂｌｏｃｋの数のみと関連する。ネットワーク装置から端末装置に送信される複数のＳＳ  Ｂｌｏｃｋはさらに端末装置の位置するセルの隣接セルの一部又は全てのＳＳ  Ｂｌｏｃｋを含むことができる。
【００７１】
選択可能に、本出願の実施例では、異なるＳＳ  Ｂｌｏｃｋが異なるビームで伝送されてもよく、ネットワーク装置は端末装置へシステムメッセージ又はブロードキャストメッセージに用いられるビーム範囲のビームに対応するＳＳ  Ｂｌｏｃｋを送信することができ、例えば、図２におけるＳＳ  Ｂｌｏｃｋ＃１がビーム１を用い、ＳＳ  Ｂｌｏｃｋ＃２がビーム２を用い、ＳＳ  Ｂｌｏｃｋ＃３がビーム３を用い、ネットワーク装置がビーム２を用いて図２におけるＳＳ  Ｂｌｏｃｋ＃２の時間領域位置にブロードキャストメッセージ又はシステムメッセージを送信する場合、ネットワーク装置はＳＳ  Ｂｌｏｃｋ＃３の時間領域位置を端末装置に通知することができ、したがって、端末装置は示される時間領域位置にＳＳ  Ｂｌｏｃｋを直接受信することができる。
【００７２】
また、理解すべきものとして、上記ネットワーク装置によって予め設定された様々なＳＳ  Ｂｌｏｃｋの時間領域位置がネットワーク装置によって設定されたセル内の最大ＳＳ  Ｂｌｏｃｋ数の各ＳＳ  Ｂｌｏｃｋの時間領域位置であってもよい。ネットワーク装置が端末装置へ一部のＳＳ  Ｂｌｏｃｋ数を送信する場合、端末装置は依然として上記の設定された時間領域位置に検出する。例えば、セル内の最大ＳＳ  Ｂｌｏｃｋ数が４であり、そしてネットワーク装置によって構成された４つのＳＳ  Ｂｌｏｃｋにおける各ＳＳ  Ｂｌｏｃｋがそれぞれ一つのＳＳ  ｂｕｒｓｔ周期内の先頭の４つの時間領域ユニットのそれぞれに対応する。ネットワーク装置が端末装置へ３つのＳＳ  Ｂｌｏｃｋを送信する場合、端末装置は依然として先頭の４つの時間領域ユニットで検出し、端末装置は先頭の３つの時間領域ユニットで３つのＳＳ  Ｂｌｏｃｋを検出するが、最後の時間領域ユニットで検出しない可能性がある。又は、最後の３つの時間領域ユニットで検出するが、１番目の時間領域ユニットで検出しないことも可能である。本出願の実施例はこれに限定されない。
【００７３】
また、理解すべきものとして、本出願の実施例における時間領域ユニットはＯＦＤＭシンボルであってもよく、タイムスロット、マイクロスロットなどであってもよい。
【００７４】
図５は本出願の実施例による信号伝送方法２００を示す概略ブロック図である。図５に示すように、前記方法２００はネットワーク装置によって実行されてもよく、具体的に基地局によって実行されてもよく、前記方法２００はＳ２１０とＳ２２０を含む。
【００７５】
Ｓ２１０において、端末装置へ指示情報を送信し、前記指示情報が複数の同期信号ブロックの各同期信号ブロックの第一の周期における時間シーケンスを確定するために前記端末によって用いられる。
【００７６】
Ｓ２２０において、前記各同期信号ブロックの前記第一の周期における時間シーケンスに基づき、前記端末装置へ前記複数の同期信号ブロックを送信する。
【００７７】
したがって、本出願の実施例による信号伝送方法では、複数のＳＳ  Ｂｌｏｃｋの一つのＳＳ  ｂｕｒｓｔ周期における時間シーケンスを端末装置に示すことにより、端末装置は計算の複雑さを大幅に低減し、検出時間を減らし、消費電力を低減することができる。
【００７８】
選択可能に、本出願の実施例では、前記複数の同期信号ブロックが同一のセルの異なる同期信号ブロックである場合、前記第一の周期の時間長が前記複数の同期信号ブロックのうちの一つの伝送周期に等しい。
【００７９】
選択可能に、本出願の実施例では、前記指示情報は、送信しようとする前記複数の同期信号ブロックの数を示すことに用いられ、前記複数の同期信号ブロックの数と前記複数の同期信号ブロックの前記第一の周期における時間シーケンスとの間は対応関係がある。
【００８０】
選択可能に、本出願の実施例では、前記指示情報は、前記複数の同期信号ブロックのうちの任意の一つの同期信号ブロックと第一の同期信号ブロックとの間隔の時間領域ユニットの数を示すことに用いられ、前記第一の同期信号ブロックと前記任意の一つの同期信号ブロックは前記第一の周期における時間シーケンスが異なり、前記方法はさらに、前記第一の同期信号ブロックの前記第一の周期における時間シーケンスに基づき、前記端末装置へ前記第一の同期信号ブロックを送信することを含む。
【００８１】
選択可能に、本出願の実施例では、前記指示情報は、前記各同期信号ブロックの前記第一の周期における時間シーケンスを示すことに用いられる。
【００８２】
選択可能に、本出願の実施例では、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係である。
【００８３】
選択可能に、本出願の実施例では、前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【００８４】
選択可能に、本出願の実施例では、前記端末装置へ指示情報を送信することは、前記端末装置へ前記指示情報をプライマリ搬送波で送信することを含む。
【００８５】
選択可能に、本出願の実施例では、前記プライマリ搬送波は新しい無線（ＮＲ）システム又は長期進化（ＬＴＥ）システムにおける搬送波である。
【００８６】
選択可能に、本出願の実施例では、前記複数の同期信号ブロックのうちの異なる同期信号ブロックは、異なるビームで伝送される。
【００８７】
選択可能に、本出願の実施例では、前記同期信号ブロックは少なくともプライマリ同期信号とセカンダリ同期信号を含む。
【００８８】
理解すべきものとして、ネットワーク装置で説明されるネットワーク装置と端末装置のインタラクション及び関連特性、機能などが端末装置の関連特性、機能に対応する。即ち、端末装置はネットワーク装置へどのような情報を送信し、それに応じてネットワーク装置はどのような情報を受信する。簡潔にするために、ここでは説明を省略する。
【００８９】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【００９０】
図６は本出願の実施例による信号を伝送するための端末装置３００を示す概略ブロック図である。図６に示すように、前記端末装置３００は、確定ユニット３１０と第一の受信ユニット３２０を備える。
【００９１】
確定ユニット３１０は、複数の同期信号ブロックの各同期信号ブロックの第一の周期における時間シーケンスを確定するように構成される。
【００９２】
第一の受信ユニット３２０は前記各同期信号ブロックの前記第一の周期における時間シーケンスに基づき、前記複数の同期信号ブロックをそれぞれ受信するように構成される。
【００９３】
したがって、本出願の実施例による信号を伝送するための端末装置では、複数のＳＳ  Ｂｌｏｃｋの一つの周期における時間シーケンスを予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【００９４】
選択可能に、本出願の実施例では、前記複数の同期信号ブロックが同一のセルの異なる同期信号ブロックであり、前記第一の周期の時間長が前記複数の同期信号ブロックのうちの一つの伝送周期に等しい。
【００９５】
選択可能に、本出願の実施例では、前記端末装置３００は、前記ネットワーク装置から送信された指示情報を受信するように構成される第二の受信ユニット３３０をさらに備え、前記指示情報は、送信しようとする前記複数の同期信号ブロックの数を示すことに用いられ、前記確定ユニット３１０は具体的に、前記複数の同期信号ブロックの数に基づき、前記複数の同期信号ブロックの数に対応する前記各同期信号ブロックの前記第一の周期における時間シーケンスを確定するように構成され、
み、前記複数の同期信号ブロックの時間シーケンスのそれぞれは、前記複数の同期信号ブロックのそれぞれに対応する。
【００９６】
選択可能に、本出願の実施例では、前記第一の受信ユニット３２０はさらに、ネットワーク装置から送信された第一の同期信号ブロックを受信するように構成され、前記第一の同期信号ブロックと前記複数の同期信号ブロックのうちの任意の一つの同期信号ブロックは前記第一の周期における時間シーケンスが異なり、前記第二の受信ユニット３３０はネットワーク装置から送信された指示情報を受信するように構成され、前記指示情報は、前記任意の一つの同期信号ブロックと前記第一の同期信号ブロックとの間隔の時間領域ユニットの数を示すことに用いられ、前記確定ユニット３１０は具体的に、前記第一の同期信号ブロックの前記第一の周期における時間シーケンス及び前記時間領域ユニットの数に基づき、前記各同期信号ブロックの第一の周期における時間シーケンスを確定するように構成される。
【００９７】
選択可能に、本出願の実施例では、前記端末装置３００は、前記ネットワーク装置から送信された指示情報を受信するように構成される第二の受信ユニット３３０をさらに備え、前記指示情報は、前記各同期信号ブロックの前記第一の周期における時間シーケンスを示すことに用いられ、前記確定ユニット３１０は具体的に、前記指示情報に基づき、前記各同期信号ブロックの前記第一の周期における時間シーケンスを確定するように構成される。
【００９８】
選択可能に、本出願の実施例では、前記端末装置３００は、前記ネットワーク装置から送信された指示情報を受信するように構成される第二の受信ユニット３３０をさらに備え、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であり、前記確定ユニット３１０は具体的に、前記第一の対応関係に基づき、前記各同期信号ブロックの前記第一の周期における時間シーケンスを確定するように構成される。
【００９９】
選択可能に、本出願の実施例では、前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【０１００】
選択可能に、本出願の実施例では、前記第二の受信ユニット３３０は具体的に前記ネットワーク装置から送信された前記指示情報をプライマリ搬送波の上で受信するように構成される。
【０１０１】
選択可能に、本出願の実施例では、前記プライマリ搬送波は新しい無線（ＮＲ）システム又は長期進化（ＬＴＥ）システムにおける搬送波である。
【０１０２】
選択可能に、本出願の実施例では、前記同期信号ブロックは少なくともプライマリ同期信号とセカンダリ同期信号を含む。
【０１０３】
理解すべきものとして、本出願の実施例による信号伝送の端末装置３００は本出願の方法実施例における端末装置に対応してもよく、且つ端末装置３００の各ユニットの上記と他の操作及び／又は機能はそれぞれ図４の方法における端末装置の対応するプロセスを実現するためのものであり、簡潔するために、ここでは説明を省略する。
【０１０４】
図７は本出願の実施例による信号伝送のネットワーク装置４００を示す概略ブロック図である。図７に示すように、前記ネットワーク装置４００は、第一の送信ユニット４１０と第二の送信ユニット４２０を備える。
【０１０５】
第一の送信ユニット４１０は端末装置へ指示情報を送信するように構成され、前記指示情報が複数の同期信号ブロックの各同期信号ブロックの第一の周期における時間シーケンスを確定するために前記端末装置によって用いられる。
【０１０６】
第二の送信ユニット４２０は前記各同期信号ブロックの前記第一の周期における時間シーケンスに基づき、前記端末装置へ前記複数の同期信号ブロックを送信するように構成される。
【０１０７】
したがって、本出願の実施例による信号伝送のネットワーク装置では、複数のＳＳ  Ｂｌｏｃｋの一つのＳＳ  ｂｕｒｓｔ周期における時間シーケンスを端末装置に示すことにより、端末装置は計算の複雑さを大幅に低減し、検出時間を減らし、消費電力を低減することができる。
【０１０８】
選択可能に、本出願の実施例では、前記複数の同期信号ブロックが同一のセルの異なる同期信号ブロックであり、前記第一の周期の時間長が前記複数の同期信号ブロックのうちの一つの伝送周期に等しい。
【０１０９】
選択可能に、本出願の実施例では、前記指示情報は、送信しようとする前記複数の同期信号ブロックの数を示すことに用いられ、前記複数の同期信号ブロックの数と前記複数の同期信号ブロックの前記第一の周期における時間シーケンスとの間は対応関係がある。
【０１１０】
選択可能に、本出願の実施例では、前記指示情報は、前記複数の同期信号ブロックのうちの任意の一つの同期信号ブロックと第一の同期信号ブロックとの間隔の時間領域ユニットの数を示すことに用いられ、前記第一の同期信号ブロックと前記任意の一つの同期信号ブロックは前記第一の周期における時間シーケンスが異なり、前記第二の送信ユニット４２０はさらに、前記第一の同期信号ブロックの前記第一の周期における時間シーケンスに基づき、前記端末装置へ前記第一の同期信号ブロックを送信するように構成される。
【０１１１】
選択可能に、本出願の実施例では、前記指示情報は、前記各同期信号ブロックの前記第一の周期における時間シーケンスを示すことに用いられる。
【０１１２】
選択可能に、本出願の実施例では、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係である。
【０１１３】
選択可能に、本出願の実施例では、前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【０１１４】
選択可能に、本出願の実施例では、前記第一の送信ユニット４１０は具体的に前記端末装置へ前記指示情報をプライマリ搬送波の上で送信するように構成される。
【０１１５】
選択可能に、本出願の実施例では、前記プライマリ搬送波は新しい無線（ＮＲ）システム又は長期進化（ＬＴＥ）システムにおける搬送波である。
【０１１６】
選択可能に、本出願の実施例では、前記同期信号ブロックは少なくともプライマリ同期信号とセカンダリ同期信号を含む。
【０１１７】
理解すべきものとして、本出願の実施例による信号伝送のネットワーク装置４００は本出願の方法実施例におけるネットワーク装置に対応してもよく、且つネットワーク装置４００の各ユニットの上記と他の操作及び／又は機能はそれぞれ図５の方法におけるネットワーク装置の対応するプロセスを実現するためのものであり、簡潔するために、ここでは説明を省略する。
【０１１８】
図８に示すように、本出願の実施例はさらに図６の端末装置３００とすることができる信号伝送の端末装置５００を提供し、図４の方法１００に対応する端末装置のコンテンツを実行することに用いられることができる。前記端末装置５００は、入力インタフェース５１０、出力インタフェース５２０、プロセッサ５３０及びメモリ５４０を備え、前記入力インタフェース５１０、出力インタフェース５２０、プロセッサ５３０とメモリ５４０がバスシステムを介して接続されてもよい。前記メモリ５４０はプログラム、命令又はコードを記憶するように構成される。前記プロセッサ５３０は信号を受信するように入力インタフェース５１０を制御し、信号を送信するように出力インタフェース５２０を制御し、前記方法の実施例における操作を完了するために、前記メモリ９４０におけるプログラム、命令又はコードを実行するように構成される。
【０１１９】
したがって、本出願の実施例による信号伝送の端末装置では、複数のＳＳ  Ｂｌｏｃｋの一つの周期における時間シーケンスを予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【０１２０】
理解すべきものとして、本発明の実施例では、前記プロセッサ５３０は中央処理ユニット（ＣＰＵ：Ｃｅｎｔｒａｌ  Ｐｒｏｃｅｓｓｉｎｇ  Ｕｎｉｔ）であってもよく、前記プロセッサ５３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は前記プロセッサはいずれかの従来のプロセッサなどであってもよい。
【０１２１】
前記メモリ５４０は読み取り専用メモリとランダムアクセスメモリを含み、そしてプロセッサ５３０へ命令とデータを提供することができる。メモリ５４０の一部は不揮発性ランダムアクセスメモリを含むことができる。例えば、メモリ５４０は装置タイプの情報を記憶することもできる。
【０１２２】
実施プロセスでは、上記方法の各内容は、プロセッサ５３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０１２３】
一つの具体的な実施形態では、端末装置３００における第一の受信ユニット３２０と第二の受信ユニット３３０は図８における入力インタフェース５１０で実現されてもよく、端末装置３００における確定ユニット３１０は図８におけるプロセッサ５３０で実現されてもよい。
【０１２４】
図９に示すように、本出願の実施例はさらに図７のネットワーク装置４００とすることができる信号伝送のネットワーク装置６００を提供し、図５の方法２００に対応するネットワーク装置のコンテンツを実行することに用いられることができる。前記ネットワーク装置６００は、入力インタフェース６１０、出力インタフェース６２０、プロセッサ６３０及びメモリ６４０を備え、前記入力インタフェース６１０、出力インタフェース６２０、プロセッサ６３０とメモリ６４０がバスシステム６４０を介して接続されてもよい。前記メモリ６４０はプログラム、命令又はコードを記憶するように構成される。前記プロセッサ６３０は信号を受信するように入力インタフェース６１０を制御し、信号を送信するように出力インタフェース６２０を制御し、前記方法の実施例における操作を完了するために、前記メモリ６４０におけるプログラム、命令又はコードを実行するように構成される。
【０１２５】
したがって、本出願の実施例による信号伝送のネットワーク装置では、複数のＳＳ  Ｂｌｏｃｋの一つのＳＳ  ｂｕｒｓｔ周期における時間シーケンスを端末装置に示すことにより、端末装置が計算の複雑さを大幅に低減し、検出時間を減らし、消費電力を低減することができる。
【０１２６】
理解すべきものとして、本発明の実施例では、前記プロセッサ６０は中央処理ユニット（ＣＰＵ：Ｃｅｎｔｒａｌ  Ｐｒｏｃｅｓｓｉｎｇ  Ｕｎｉｔ）であってもよく、前記プロセッサ６３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、  ディスクリートハードウェアコンポーネントなどであってもよい。汎用プロセッサはマイクロプロセッサであってもよく、又は前記プロセッサはいずれかの従来のプロセッサなどであってもよい。
【０１２７】
前記メモリ６４０は読み取り専用メモリとランダムアクセスメモリを含み、そしてプロセッサ６３０へ命令とデータを提供することができる。メモリ６４０の一部は不揮発性ランダムアクセスメモリを含むことができる。例えば、メモリ６４０は装置タイプの情報を記憶することもできる。
【０１２８】
実施プロセスでは、上記方法の各内容は、プロセッサ６３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１２９】
一つの具体的な実施形態では、第一の送信ユニット４１０と第二の送信ユニット４２０は図９における出力インタフェース６２０で実現されてもよい。
【０１３０】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することが可能であるが、このような実現は本出願の範囲を超えると見なしてはならない。
【０１３１】
当業者は、便利および簡潔に説明するために、上記のシステム、装置及びユニットの具体的な動作プロセスについて、前記方法の実施例における対応するプロセスを参照できるため、ここでは説明を省略することを明確に理解することができる。
【０１３２】
本出願が提供する、いくつかの実施例では、開示されたシステム、装置および方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０１３３】
分離部材として説明された該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の技術的解決策の目的を達成することができる。
【０１３４】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１３５】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例における該方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１３６】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は特許請求の保護範囲に準拠するべきである。
【図１】
2020511088.tif 000004
【図２】
2020511088.tif 000005
【図３】
2020511088.tif 000006
【図４】
2020511088.tif 000007
【図５】
2020511088.tif 000008
【図６】
2020511088.tif 000009
【図７】
2020511088.tif 000010
【図８】
2020511088.tif 000011
【図９】
2020511088.tif 000012
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
信号伝送方法であって、
複数の同期信号ブロックの各同期信号ブロックの第一の周期における時間シーケンスを確定することと、
前記各同期信号ブロックの前記第一の周期における時間シーケンスに基づき、前記複数の同期信号ブロックをそれぞれ受信することとを含む、前記信号伝送方法。
【請求項２】
前記複数の同期信号ブロックの各時間シーケンスは、対応する同期信号ブロックに占有された時間領域リソースであることを特徴とする
請求項１に記載の信号伝送方法。
【請求項３】
前記複数の同期信号ブロックが同一のセルの異なる同期信号ブロックであり、前記第一の周期の時間長が前記複数の同期信号ブロックのうちの一つの伝送周期に等しいことを特徴とする
請求項１又は２に記載の信号伝送方法。
【請求項４】
前記信号伝送方法はさらに、
ネットワーク装置から送信された指示情報を受信することを含み、前記指示情報は、送信しようとする前記複数の同期信号ブロックの数を示すことに用いられ、
前記複数の同期信号ブロックの各同期信号ブロックの第一の周期における時間シーケンスを確定することは、
前記複数の同期信号ブロックの数に基づき、前記複数の同期信号ブロックの数に対応する前記各同期信号ブロックの前記第一の周期における時間シーケンスを確定することを含み、前記複数の同期信号ブロックの時間シーケンスのそれぞれは、前記複数の同期信号ブロックのそれぞれに対応することを特徴とする
請求項１〜３のいずれか一項に記載の信号伝送方法。
【請求項５】
前記信号伝送方法はさらに、
前記ネットワーク装置から送信された指示情報を受信することを含み、前記指示情報は、前記各同期信号ブロックの前記第一の周期における時間シーケンスを示すことに用いられ、
前記複数の同期信号ブロックの各同期信号ブロックの第一の周期における時間シーケンスを確定することは、
前記指示情報に基づき、前記各同期信号ブロックの前記第一の周期における時間シーケンスを確定することを含むことを特徴とする
請求項１〜３のいずれか一項に記載の信号伝送方法。
【請求項６】
前記信号伝送方法はさらに、
前記ネットワーク装置から送信された指示情報を受信することを含み、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であり、
前記複数の同期信号ブロックの各同期信号ブロックの第一の周期における時間シーケンスを確定することは、
前記第一の対応関係に基づき、前記各同期信号ブロックの前記第一の周期における時間シーケンスを確定することを含むことを特徴とする
請求項１〜３のいずれか一項に記載の信号伝送方法。
【請求項７】
前記指示情報は、ブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項４〜６のいずれか一項に記載の信号伝送方法。
【請求項８】
前記ネットワーク装置から送信された指示情報を受信することは、
プライマリ搬送波の上で前記ネットワーク装置から送信された前記指示情報を受信することを含むことを特徴とする
請求項４〜７のいずれか一項に記載の信号伝送方法。
【請求項９】
前記プライマリ搬送波は新しい無線（ＮＲ）システム又は長期進化（ＬＴＥ）システムにおける搬送波であることを特徴とする
請求項８に記載の信号伝送方法。
【請求項１０】
前記同期信号ブロックは少なくともプライマリ同期信号とセカンダリ同期信号を含むことを特徴とする
請求項１に記載の信号伝送方法。
【請求項１１】
信号伝送の端末装置であって、
複数の同期信号ブロックの各同期信号ブロックの第一の周期における時間シーケンスを確定するように構成される確定ユニットと、
前記各同期信号ブロックの前記第一の周期における時間シーケンスに基づき、前記複数の同期信号ブロックをそれぞれ受信するように構成される第一の受信ユニットとを備える、前記端末装置。
【請求項１２】
前記複数の同期信号ブロックの各時間シーケンスは、対応する同期信号ブロックに占有された時間領域リソースであることを特徴とする
請求項１１に記載の端末装置。
【請求項１３】
前記複数の同期信号ブロックが同一のセルの異なる同期信号ブロックであり、前記第一の周期の時間長が前記複数の同期信号ブロックのうちの一つの伝送周期に等しいことを特徴とする
請求項１１又は１２に記載の端末装置。
【請求項１４】
前記端末装置は、前記ネットワーク装置から送信された指示情報を受信するように構成される第二の受信ユニットをさらに備え、前記指示情報は、送信しようとする前記複数の同期信号ブロックの数を示すことに用いられ、
前記確定ユニットは具体的に、前記複数の同期信号ブロックの数に基づき、前記複数の同期信号ブロックの数に対応する前記各同期信号ブロックの前記第一の周期における時間シーケンスを確定するように構成され、前記複数の同期信号ブロックの時間シーケンスのそれぞれは、前記複数の同期信号ブロックのそれぞれに対応することを特徴とする
請求項１１〜１３のいずれか一項に記載の端末装置。
【請求項１５】
前記端末装置は、前記ネットワーク装置から送信された指示情報を受信するように構成される第二の受信ユニットをさらに備え、前記指示情報は、前記各同期信号ブロックの前記第一の周期における時間シーケンスを示すことに用いられ、
前記確定ユニットは具体的に、前記指示情報に基づき、前記各同期信号ブロックの前記第一の周期における時間シーケンスを確定するように構成されることを特徴とする
請求項１１〜１３のいずれか一項に記載の端末装置。
【請求項１６】
前記端末装置は、前記ネットワーク装置から送信された指示情報を受信するように構成される第二の受信ユニットをさらに備え、前記指示情報は、複数の対応関係のうちの第一の対応関係を示すことに用いられ、前記対応関係のそれぞれは、前記各同期信号ブロックのそれぞれと前記各同期信号ブロックの前記第一の周期における時間シーケンスとのマッピング関係であり、
前記確定ユニットは具体的に、前記第一の対応関係に基づき、前記各同期信号ブロックの前記第一の周期における時間シーケンスを確定するように構成されることを特徴とする
請求項１１〜１３のいずれか一項に記載の端末装置。
【請求項１７】
前記指示情報は、ブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項１４〜１６のいずれか一項に記載の端末装置。
【請求項１８】
前記第二の受信ユニットは具体的に、プライマリ搬送波の上で前記ネットワーク装置から送信された前記指示情報を受信するように構成されることを特徴とする
請求項１４〜１７のいずれか一項に記載の端末装置。
【請求項１９】
前記プライマリ搬送波は新しい無線（ＮＲ）システム又は長期進化（ＬＴＥ）システムにおける搬送波であることを特徴とする
請求項１８に記載の端末装置。
【請求項２０】
前記同期信号ブロックは少なくともプライマリ同期信号とセカンダリ同期信号を含むことを特徴とする
請求項１１〜１９のいずれか一項に記載の端末装置。
【国際調査報告】
2020511088.tif 000013
2020511088.tif 000014
2020511088.tif 000015
2020511088.tif 000016